(57)【要約】【課題】本発明は多重組織の布帛（織布若しくは編布）からの切断による布製品の形成方法に関し、デザインのより一層の多様化及び布帛製造の効率化の実現を図ることを目的とするものである。【解決手段】織布10は縦糸開口装置としてジャカードを有する織機により織製される。織布10は、一重組織よりなる区域24と二重組織よりなる区域14, 16, 18, 20, 22とが混在している。織布10は布製品（エプロン）の輪郭線12に沿って切断され、切断により得られた布製品における二重組織区域14, 16, 18, 20, 22はその一方の層を他方の層に対する連結を維持して切断線にそって切断することにより袋状部分が形成される。【選択図】  図１
2005350786.tif 000002
【特許請求の範囲】
【請求項１】
一重組織よりなる区域と多重組織よりなる区域とを供えた布帛をジャカード機構にて織製若しくは編製し、前記布帛を布製品の輪郭形状に沿って布切片に切り離すと共に、所望の輪郭形状に切断された前記布切片における多重組織の特定区域における一部の層をその少なくとも一部は残余の層との連結を維持させつつ切断し、これにより布製品の付加機能部分を創成するようにしたことを特徴とする方法。
【請求項２】
一重組織よりなる区域と多重組織よりなる区域とを供えた布帛をジャカード機構にて織製若しくは編製し、前記布帛を布製品の輪郭形状に沿って布切片に切り離すと共に、所望の輪郭形状に切断された前記布切片における多重組織の特定区域における一部の層をその少なくとも一部は残余の層との連結を維持させつつ切断することにより、布切片上に局部的に分布する袋状部分を形成することを特徴とする方法。
【請求項３】
一重組織よりなる区域と多重組織よりなる区域とを供えた布帛をジャカード機構にて織製若しくは編製し、前記布帛を布製品の輪郭形状に沿って布切片に切り離すと共に、所望の輪郭形状に切断された前記布切片における多重組織の特定区域における一部の層をその少なくとも一部は残余の層との連結を維持させつつ切断することにより布切片上に局部的に分布する袋状部分を形成し、この袋状部分にストリップを挿入し、その後、織布切片とストリップとの縫製による一体化を行うことを特徴とする方法。
【請求項４】
一重組織よりなる区域と多重組織よりなる区域とを供えた布帛をジャカード機構にて織製若しくは編製し、前記布帛を布製品の輪郭形状に沿って布切片に切り離すと共に、所望の輪郭形状に切断された前記布切片における多重組織の特定区域における一部の層をその少なくとも一部は残余の層との連結を維持させつつ切断することにより布製品のポケットとなる袋状部分を形成することを特徴とする方法。
【発明の詳細な説明】
【技術分野】
【０００１】
この発明は多重組織の織布若しくは編布から布製品の形成方法に関し、ポケットなどの布製品の機能部分の効率的な形成を可能とするものである。
【背景技術】
【０００２】
衣類におけるポケットの形成は従来は布切片を相手となる布片に当て、袋状部分を形成するように縫製することにより行うのが普通であった。また、多重組織を利用した縦口袋とか横口袋と称されるものも公知であるが、これは、ドビーなどを使用した横二重組織により織製し、一枚の織布に一重組織部分と二重組織部分とを交互に形成し、織製後に一重組織部分を切断することにより、袋状の胴部分を有した布製品とするものであった。得られる製品は袋単品であり、口の部分に紐を通すことにより巾着のように構成することができる（非特許文献１）。
【非特許文献１】繊維工学II織物（１９７４年実教出版）
【発明の開示】
【発明が解決しようとする課題】
【０００３】
従来技術の縫製によるものは比較的面倒な作業を要し、エプロンのような簡易な衣類にも関わらず縫製コストは全体コストを押し上げていた。また、多重組織を利用したものについは縫製は不要であるが、得られるものは単なる袋であり、またドビーのため独立移動しうる縦糸数に制限があり、袋形状は矩形に限定され、任意形状の大きさサイズの袋は形成しえず、デザインの大幅な制限があった。
【０００４】
この発明は上記従来技術の問題点を解決し、縫製を要することなくまだデザイン上の制限がより少ない布製品を提供しうるようにすることを目的とする。
【課題を解決するための手段】
【０００５】
請求項１に記載の発明によれば、一重組織よりなる区域と多重組織よりなる区域とを供えた布帛をジャカード機構にて織製若しくは編製し、前記布帛を布製品の輪郭形状に沿って布切片に切り離すと共に、所望の輪郭形状に切断された前記布切片における多重組織の特定区域における一部の層をその少なくとも一部は残余の層との連結を維持させつつ切断し、これにより布製品の付加機能部分を創成するようにしたことを特徴とする方法が提供される。
【０００６】
請求項２に記載の発明によれば、一重組織よりなる区域と多重組織よりなる区域とを供えた布帛をジャカード機構にて織製若しくは編製し、前記布帛を布製品の輪郭形状に沿って布切片に切り離すと共に、所望の輪郭形状に切断された前記布切片における多重組織の特定区域における一部の層をその少なくとも一部は残余の層との連結を維持させつつ切断することにより、布切片上に局部的に分布する袋状部分を形成することを特徴とする方法が提供される。
【０００７】
請求項３に記載の発明によれば、一重組織よりなる区域と多重組織よりなる区域とを供えた布帛をジャカード機構にて織製若しくは編製し、前記布帛を布製品の輪郭形状に沿って布切片に切り離すと共に、所望の輪郭形状に切断された前記布切片における多重組織の特定区域における一部の層をその少なくとも一部は残余の層との連結を維持させつつ切断することにより布切片上に局部的に分布する袋状部分を形成し、この袋状部分にストリップを挿入し、その後、織布切片とストリップとの縫製による一体化を行うことを特徴とする方法が提供される。
【０００８】
請求項４に記載の発明によれば、一重組織よりなる区域と多重組織よりなる区域とを供えた布帛をジャカード機構にて織製若しくは編製し、前記布帛を布製品の輪郭形状に沿って布切片に切り離すと共に、所望の輪郭形状に切断された前記布切片における多重組織の特定区域における一部の層をその少なくとも一部は残余の層との連結を維持させつつ切断することにより布製品のポケットとなる袋状部分を形成することを特徴とする方法が提供される。
【発明の効果】
【０００９】
請求項１の発明の作用・効果を説明すると、多重組織の特定区域における一部の層を布帛切片の残余の層から完全に分離することにより、ポケットなどの布製品の機能部分を縫製作業などの付加的作業なしに即座に形成することができる。そして、ジャカードを利用していることにより機能部分の任意の形状を得ることができ、デザイン性を極限まで高めることができる。
【００１０】
請求項２の発明の作用・効果を説明すると、布帛の多重組織の区域における一部の層を部分的に切断することにより袋状部分を布帛の任意の部位に切断することだけで、即ち、縫製なしに形成することができ、布製品製造の効率を高めることができ、またジャカード組織の採用により袋状部分の矩形以外の任意形状を持たせることができ、かつ袋のサイズも任意の大きさとすることができ、袋の部分に任意のデザインを付すことができ、デザイン性を高めることができる。
【００１１】
請求項３の発明の作用・効果を説明すると、布帛における多重組織の区域において一部の層を切断する袋状部分を形成し、この袋状部分にストリップを挿入し、織布切片とストリップとの縫製により、最小限の縫製工程により効率的な作業を行うことができる。
【００１２】
請求項４の発明の作用・効果を説明すると、布帛から布製品の輪郭形状に応じて切り離された切片における任意の部分に任意の大きさのかつ任意の形状のポケットを形成することができ、エプロンなどの布製品の製造を布帛からの切り出しのみで効率的に製造することができる。
【発明を実施するための最良の形態】
【００１３】
図１はこの発明の実施形態としての織布１０を示しており、この発明をエプロンに応用したものである。織布は経糸開口装置としてジャカードを備えた織機により織製される。ジャカードとしてはこの実施形態では例えば10,000を超える多数の口数を備えたもの（例えばストーブリ(STAUBLI)社の型番LX3200）が使用され、そのため全織幅において経糸一本一本の独立的な開口制御をなしうるようになっている。必要に応じてより口数がより少ないジャカードを使用することは勿論可能である。
【００１４】
この実施形態では織布１０の全織巾において一枚のエプロンの織製を行っており、１２がエプロンの輪郭線（パターン）となる。エプロンの輪郭線１２となるパターンは一つのみ示されるが、このようなパターンは織布１０の長手方向に繰り返され、一枚の織布より多数のエプロンが切り出されるようになっていることはいうまでもない。織布は一重組織よりなる区域と二重組織よりなる区域とが混在しており、図中交差斜線を施した区域14, 16, 18, 20, 22 が二重組織にて構成され、その他の区域は一重組織にて織製される。即ち、区域１４に関して図２に示すように上下層14A, 14Bが設けられ、上下層14A, 14Bは完全に分離した状態にあり、上下層14A, 14Bにおいては上層１４Ａの縦糸は上層１４Ａの横糸とのみ交絡し、下層１４Ｂの縦糸は下層１４Ｂの横糸とのみ交絡するようになっている。その他の区域16, 18, 20, 22についても同様な上下２層構造である。後述するように区域14, 16は切り離しによりポケットとなり、区域１８は切り離しにより下方向に延長され、ポケット丈を延長させ、また、区域20, 22は切り離しにより腰紐を装着せしめる袋状空間を形成する機能を果たすようになっている。
【００１５】
二重組織の区域14, 16, 18, 20, 22に隣接する一重組織区域は２４にて示され、この区域おいては図２に示すように上下層は一体化される。区域１８の上側境界の帯状領域２６、エプロン輪郭線１２に沿った両側の帯状領域２８及び上側の帯状領域３０は一重組織であるが、織布１０からの布製品としてのエプロンの切断の補助となるように地組織２４とは別の一重組織で織製することにより区域を視覚的に明確化させている。また、エプロンのポケットを形成するための布帛の切断部分を明確化させるため切断線に沿って鋏及び矢印を表すシンボル模様31, 32が形成されているが、この実施形態ではこれらのシンボル模様31, 32は織組織として構成されている。この発明では織布１０はジャカードによって織製され、縦糸は全巾で独立開口が可能なため、任意の大きさの所望の形状の模様を織布中に織り込むことが自在に可能である。
【００１６】
二重組織の区域14, 16, 18, 20, 22における織組織及び帯状境界領域26, 28, 30も含む地となる一重組織の区域２４の織組織については限定されることはなく、平組織でも綾組織でも任意の適当なものを選定することができる。ジャカードの採用により大柄の模様をポケットとなるを区域14, 16に形成することはもとより可能である。
【００１７】
次に、第１の実施形態における織布１０からのエプロンの切り離しについて説明すると、先ず、輪郭線１２に沿って布帛１０の切断が行われる。輪郭線１２に沿った切断によって、二重組織の区域20, 22は矢印a1,その片側端20A, 22Aの部位において開口され、袋状空間３４が形成され（区域２０について図３参照）、後述のようにこの部分はエプロンの腰紐の装着部分となる。図４は輪郭線に沿って切断後に得られた織布切片を示す。そして、ポケットの形成のため図１の区域14, 16の部位において地組織２４との境界線に沿った部分14-1, 16-1が片側層（図の上側の層）のみ切断される。区域14, 16における上側層における鋏を入れる領域は図１でそれぞれL1, L2の矢印にて表される。ラインL1, L2での区域14, 16における上側層のみの切断が行われると、この部位は図４のように垂れ下がり、切断による区域14, 16における上側層の垂れ下がり部分を図４の14A, 16Aにて示す。そのため、区域14, 16における下側層14B, 16Bが一部見えてくる。この実施形態では下側層14B にはナイフ、フォーク、スプーンよりなるシンボル模様が織製により形成されており、これらの模様４０が一部露出される。ナイフ、フォーク、スプーンは表裏どちら側からも見えるため、内容物をサイン化することができる。
【００１８】
織布の切断工程としては、織布切片における地組織としての帯状区域２６に隣接した二重層区域１８の上側層のみがラインｍに沿った切断が更に行われ、その結果、区域１８における上側層の部分が垂れ下がり、１８Ａはこの垂れ下がった区域１８における上側層の部分を示す。即ち、本発明の織布１０における部分的な二重組織区域における一部層のみの部分的な切断により織布の丈は図４のＸで示す長さだけ延長することができる。即ち、織製時より長さを増大させた布製品とすることができ、換言すれば、布製品の必要長さに対して必要な織布の長さを短縮することができ、織製工程の負担をその分軽減することが可能となる。
【００１９】
また、二重組織の区域20, 22による腰紐の装着について説明すると、既に説明の通り、二重組織区域20, 22は外側端部20A, 22Aが切断されることにより外部が開口して袋状部３４が形成されている。腰紐42, 44は織製により細長い帯状（ストリップ状）に形成され、腰紐42, 44の端部は対応の二重組織区域20, 22の端縁部20A, 22Aに沿った切断により得られた袋状開口部３４（図３）に挿入され、縫製により一体化される。このようにして得られた縫製ラインを図５では46, 48にて示す。織布に二重組織の区域を形成し、この区域を部分的に切断することにより外部に開口された袋状部となし、この袋状部にストリップ状の腰紐を挿入し、縫製することでエプロン製造時における布地に対するストリップ材の一体化を効率的かつ確実に行うことができる。
【００２０】
図６〜図８はこの発明の第２の実施形態を示しており、この第２の実施形態は所謂ランチェオンマット（食事のためテーブルに敷いて使用され、ナイフ、フォーク、スプーンなどのセットを包むためにも使用されるシート）に対するこの発明の思想の応用例を示す。図において織布１０におけるランチェオンマットの輪郭線を５０にて現す。ランチェオンマットは殆どが一重組織であり、一重組織の部分は平や綾などの適当な組織にて織製され、適宜の柄を設けることができる。この実施形態では縁５２とその内側の部分５４とで適当に組織を変えている。二重組織区域は交差斜線を付した56, 58, 60にて表され、この区域56, 58, 60においては、図７（イ）に区域５６に関し示すように、上層５６Ａと下層５６Ｂとの２層構造であり、上層５６Ａと下層５６Ｂと間は空洞６２となっている。区域56, 58, 60は後述の切断によりナイフ、フォーク、スプーンの収容のための袋状部分を形成するものであり、二重組織の区域56, 58, 60に隣接した地組織部の部位においてナイフ、フォーク、スプーンの模様が織り出されており、袋状部分がそれぞれの収納のためのものであることをシンボル化している。
【００２１】
図６の織布からのランチェオンマットの切り出しのために、二重組織の区域56, 58, 60における上側層の上端の部分が図６の矢印ｎに沿ってカットされ、外方に開口した袋状の空間が形成される。図７（ロ）は図６の矢印ｎに沿ったカットによって袋状の空洞６２が外部に開口したポケット状を呈することを示している。カット図８は現物のナイフ、フォーク、スプーンを区域56, 58, 60に形成された袋状空間６２に挿入し若しくは挿入しようとしたところを示している。
【００２２】
以上の実施形態の説明においては布帛にジャカードにより織製された織布であるが、この発明の思想は編布においても実現することができる。即ち、経編においてはジャカード筬（本発明のジャカード機構）を具備した経編機を使用して編製を行い、布製品（たとえばエプロン）の輪郭を編布中に編製により形成し、布製品の輪郭に沿った切り出しを可能とし、そして、布製品の延長部分（図１及び図２の実施形態においてエプロンの裾となる部分）については二重組織に構成する（地組織との接続部位は上下層を接結するが残余の二重組織の部位については上下層は分離させておく）。また、ポケットとなる部位はその輪郭を二重組織にて構成し、ポケットの輪郭となる部分についてはジャカード筬によって上下層を接結（編み閉じ）する。そして、織布の場合と同様に、布製品（エプロン）の輪郭に沿って切断すると共に、延長部分との境に沿って二重組織の部位を上下層を分離切断し、図２と同様に裏返すことによりエプロンの延長部分を構成する。また、ポケットとなる二重組織の部位においては開口部分のみにおいて上下層を分離し、ポケットにより構成する。また、緯編（丸編）の場合については、全編針について独立選針機構（本発明のジャカード機構）を有した丸編機を利用し、布製品（エプロン）の輪郭をパターンとして編製し、輪郭にそって布製品の直接切り出しを行うと共に、上下層を上下の接続を維持しつつ分離し（織布の場合のカットライン２６に沿った切断と同様）、切断後伸展することで延長部（図１の実施形態におけるエプロン裾部分18Aの形成と同様）とし、また、ポケット部分ではジャカードによって上下層を接結し、図１のラインL1, L2での同様な部分的切断によりポケットとしての空洞を布帛に直接形成可能とする。
【図面の簡単な説明】
【００２３】
【図１】図１は切り離しによりエプロンとなるパターン（１リピート）を織り込んだ織布を示す図である。
【図２】図２は図１のII−II線に沿う断面図である。
【図３】図３は図４のIII−III線に沿う断面図である。
【図４】図４は織布より切り出されたエプロンを示す図である。
【図５】図５は図４のエプロンに腰紐を装着・縫製した状態を示す図である。
【図６】図６は別実施形態における切り離しによりランチェオンマットとなるとなるパターン（１リピート）を織り込んだ織布を示す図である。
【図７】図７は図６のVII−VII線に沿う断面図である。
【図８】図８は図７の織布より切り出されたランチェオンマットを示す図である。
【符号の説明】
【００２４】
１０…織布
１２…エプロンの輪郭線（１リピート）
14, 16, 18, 20, 22…二重組織区域
14A, 14B…上下層
14A, 16A…ポケットの垂れ下がり部分（この発明の延長部）
18A…エプロンの裾部分（この発明の延長部）
２４…一重組織区域
３４…袋状空間
56, 58, 60…二重組織区域
56A, 56B…上下層
６２…袋状空間
【図１】
2005350786.tif 000003
【図２】
2005350786.tif 000004
【図３】
2005350786.tif 000005
【図４】
2005350786.tif 000006
【図５】
2005350786.tif 000007
【図６】
2005350786.tif 000008
【図７】
2005350786.tif 000009
【図８】
2005350786.tif 000010